(57)【特許請求の範囲】
【請求項１】
通信ネットワークを介して互いに接続され、インターネット広告の発注者の装置と、前記インターネット広告を制作する広告制作会社の装置と、前記インターネット広告に関する情報を管理するインターネット広告管理装置と、を備えるインターネット広告管理システムであって、
前記インターネット広告に関する情報は、前記インターネット広告の発注から入稿にいたるまでの情報であり、少なくとも前記発注者の情報と、前記インターネット広告の仕様と、前記インターネット広告の制作の進捗情報と、制作過程から入稿されるまでのインターネット広告とを含み、
前記インターネット広告管理装置は、
前記インターネット広告に関する情報を記憶する記憶装置と、
前記発注者の装置と前記広告制作会社の装置のそれぞれに対応する、１つ以上のインターネット広告の前記インターネット広告に関する情報の項目を一覧表示する管理画面を作成する管理画面作成手段と、
前記管理画面作成手段により作成された管理画面を対応する前記発注者の装置と前記広告制作会社の装置とに表示させる管理画面表示手段と、
入稿が完了したインターネット広告が保存され、前記インターネット広告を制作する制作者及び前記発注者が閲覧可能なライブラリと、を有し、
前記発注者の装置と前記広告制作会社の装置から前記管理画面の前記項目が更新されると、更新された前記項目を前記記憶装置に記憶させて、前記管理画面作成手段が更新された情報の項目を含む管理画面を作成し、
前記記憶装置には、前記制作会社の装置と前記発注者の装置毎に電子メールアドレスを含む関係者情報と、前記インターネット広告に関する情報として、該インターネット広告を掲載する掲載画面の情報と、が保存され、さらに初稿から修正されて入稿にいたるまでのインターネット広告が随時保存され、
前記記憶装置に電子メールアドレスが保存されている関係者に対し、前記管理画面より対応する項目に関する情報を含み、かつ選択されたインターネット広告の画面に到達するためのＵＲＬ情報が自動的に付加された電子メールを作成し送信する通信手段と、提出されたインターネット広告を前記掲載画面にはめ込んで表示する掲載イメージ表示手段と、を備え、
前記管理画面の制作物を表示する画面には、インターネット広告毎に最初に提出された製作物から修正した製作物を時系列に並べて表示し、さらに、前記インターネット広告に対する指示内容を書き込める書き込み画面又は別のインターネット広告を提出する画面を前記管理画面作成手段により作成して表示し、書き込まれた前記指示内容と前記提出されたインターネット広告を前記記憶装置に記憶し、
前記制作物を表示する画面には、前記電子メールを作成するメール作成アイコン及び前記書き込み画面を表示させるためのアイコンが設けられることを特徴とするインターネット広告管理システム。
【請求項２】
前記通信ネットワークを介して、前記発注者の装置と前記広告制作会社の装置とに接続された、前記制作者の装置を有し、
前記インターネット広告管理装置は、前記制作者の装置に対応する、１つ以上のインターネット広告の前記インターネット広告に関する情報の項目を一覧表示する管理画面を作成する手段を備え、
前記制作者が前記管理画面の対応する項目より制作したインターネット広告を提出する際、前記制作者の装置に表示される管理画面には、前記広告制作会社の装置に表示される制作物を表示する画面と同一の画面である入力画面が表示され、前記制作者が、前記制作したインターネット広告を前記入力画面にドラッグしドロップすると、前記制作したインターネット広告が前記入力画面に表示され、前記制作したインターネット広告のデータファイルが前記記憶装置に保存されることを特徴とする請求項１記載のインターネット広告管理システム。
【請求項３】
前記発注者が広告代理店を通して前記広告制作会社にインターネット広告の作成を依頼する場合に用いられ、
前記通信ネットワークを介して前記発注者の装置と前記広告制作会社の装置とに接続された前記広告代理店の装置を有し、
前記インターネット広告管理装置は、前記広告代理店の装置に対応する、１つ以上のインターネット広告の前記インターネット広告に関する情報の項目を一覧表示する管理画面を作成する手段を備え、
前記広告代理店の装置及び前記発注者の装置にインターネット広告発注を要望する画面を表示し、前記広告代理店の装置又は前記発注者の装置から発注の要望を受けると、前記広告代理店の装置又は前記発注者の装置に発注フォームを表示し、前記発注フォームへの入力が終了すると、前記発注フォームが新たなインターネット広告の案件として前記記憶装置に記憶され、前記管理画面作成手段により新たな案件が追加された管理画面が作成されることを特徴とする請求項１又は請求項２に記載のインターネット広告管理システム。
【発明の詳細な説明】
【技術分野】
【０００１】
本発明は、インターネット広告の制作における発注から納入までの各作業工程を一括で管理し、発注者と制作者との間で情報を共有することができるインターネット広告管理システムである。
【背景技術】
【０００２】
インターネット広告の市場規模は年々拡大し、紙媒体に比べ広告枠が非常に多くなるため、バナー、LP、HTMLメール等のインターネット広告が日々大量に生産されている。インターネット広告の制作現場では、大量のインターネット広告の発注から納入までを管理する必要が生じ、例えば、Excelなどのソフトウエアが用いられることが多い。作成した広告の確認は電子メールのやりとりが多く、管理ソフトに入力することを忘れることもあり、入力する手間が煩雑になり、インターネット広告の案件の状況を最新の状態に保つことが困難になることが多い。
【０００３】
特開２００７−１４９０８６号公報には、インターネット広告の内容と、広告の規定情報を広告代理店、媒体社、広告制作会社とがディスカッションした結果をネットワークを介して共有することができるインターネット広告提供システムが開示されている。しかし、インターネット広告に関する情報を広告主、広告代理店、制作会社と共有することができない。
【先行技術文献】
【特許文献】
【０００４】
【特許文献１】特開２００７−１４９０８６号公報
【発明の概要】
【発明が解決しようとする課題】
【０００５】
解決しようとする問題点は、インターネット広告の発注者である広告主や広告代理店と、インターネット広告を制作する制作会社や制作者と、その他の関係者がインターネット広告の制作におけるインターネット広告に関する情報を共有することができるインターネット広告システムを提供することを課題とする。
【課題を解決するための手段】
【０００６】
上記課題を解決するために、本発明のインターネット広告管理システムは、通信ネットワークを介して互いに接続され、インターネット広告の発注者の装置と、インターネット広告を制作する広告制作会社の装置と、インターネット広告に関する情報を管理するインターネット広告管理装置とを備えるインターネット広告管理システムである。インターネット広告に関する情報は、インターネット広告の発注から入稿されるまでの情報であり、少なくとも発注者の情報と、インターネット広告の仕様と、インターネット広告の制作の進捗情報と、制作過程から入稿されるまでのインターネット広告とを含む。インターネット広告管理装置は、インターネット広告に関する情報を記憶する記憶装置と、発注者の装置と広告制作会社の装置のそれぞれに対応する、１つ以上のインターネット広告のインターネット広告に関する情報の項目を一覧表示する管理画面を作成する管理画面作成手段と、管理画面作成手段により作成された管理画面を対応する発注者の装置と広告制作会社の装置とに表示させる管理画面表示手段と、入稿が完了したインターネット広告が保存され、インターネット広告を制作する制作者及び発注者が閲覧可能なライブラリと、を有する。そして、発注者の装置と広告制作会社の装置から管理画面の項目が更新されると、更新された項目を記憶装置に記憶させて、管理画面作成手段が更新された情報の項目を含む管理画面を作成し、記憶装置には、制作会社の装置と発注者の装置毎に電子メールアドレスを含む関係者情報と、インターネット広告に関する情報として、該インターネット広告を掲載する掲載画面の情報と、が保存され、さらに初稿から修正されて入稿にいたるまでのインターネット広告が随時保存され、記憶装置に電子メールアドレスが保存されている関係者に対し、管理画面より対応する項目に関する情報を含み、かつ選択されたインターネット広告の画面に到達するためのＵＲＬ情報が自動的に付加された電子メールを作成し送信する通信手段と、提出されたインターネット広告を掲載画面にはめ込んで表示する掲載イメージ表示手段と、を備え、管理画面の制作物を表示する画面には、インターネット広告毎に最初に提出された製作物から修正した製作物を時系列に並べて表示し、さらに、インターネット広告に対する指示内容を書き込める書き込み画面又は別のインターネット広告を提出する画面を管理画面作成手段により作成して表示し、書き込まれた指示内容と提出されたインターネット広告を記憶装置に記憶し、制作物を表示する画面には、電子メールを作成するメール作成アイコン及び書き込み画面を表示させるためのアイコンが設けられる。
【０００７】
また、本発明のインターネット広告管理システムは、通信ネットワークを介して、発注者の装置と広告制作会社の装置とに接続された、制作者の装置を有し、インターネット広告管理装置は、制作者の装置に対応する、１つ以上のインターネット広告のインターネット広告に関する情報の項目を一覧表示する管理画面を作成する手段を備え、制作者が管理画面の対応する項目より制作したインターネット広告を提出する際、制作者の装置に表示される管理画面には、広告制作会社の装置に表示される制作物を表示する画面と同一の画面である入力画面が表示され、制作者が、制作したインターネット広告を入力画面にドラッグしドロップすると、制作したインターネット広告が入力画面に表示され、制作したインターネット広告のデータファイルが記憶装置に保存されてもよい。
【０００８】
また、本発明のインターネット広告管理システムは、発注者が広告代理店を通して広告制作会社にインターネット広告の作成を依頼する場合に用いられ、通信ネットワークを介して発注者の装置と広告制作会社の装置とに接続された広告代理店の装置を有し、インターネット広告管理装置は、広告代理店の装置に対応する、１つ以上のインターネット広告のインターネット広告に関する情報の項目を一覧表示する管理画面を作成する手段を備え、広告代理店の装置及び発注者の装置にインターネット広告発注を要望する画面を表示し、広告代理店の装置又は発注者の装置から発注の要望を受けると、広告代理店の装置又は発注者の装置に発注フォームを表示し、発注フォームへの入力が終了すると、発注フォームが新たなインターネット広告の案件として記憶装置に記憶され、管理画面作成手段により新たな案件が追加された管理画面が作成されてもよい。
【発明の効果】
【００１２】
本発明のインターネット広告システムによれば、広告代理店、制作会社、依頼者やその他の関係者とインターネット広告制作におけるインターネット広告に関する情報を共有することができるという効果がある。更に、インターネット広告の情報が一覧表示される管理画面により、簡単に情報を把握することが可能となる。
【図面の簡単な説明】
【００１３】
【図１】図１は本発明の実施形態に係るインターネット広告管理システムの概略図を示す図である。
【図２】図２は図１のインターネット広告管理装置の構成を示すブロック図である。
【図３】図３は広告主用管理画面の一例を示す図である。
【図４】図４は代理店用管理画面の一例を示す図である。
【図５】図５は制作会社用管理画面の一例を示す図である。
【図６】図６インターネット広告の進捗管理画面の一例を示す図である。
【図７】図７は広告の発注画面の一例を示す図である。
【発明を実施するための形態】
【００１４】
本発明の実施形態を図面を参照して説明する。
図１は本発明のインターネット広告システムの実施形態である。本実施形態ではインターネット広告の制作を広告主（広告の発注者、クライアント）が広告代理店（制作会社に対する発注者、エージェンシー）を通して制作会社（広告の制作者、クリエーター）に依頼する場合に適用するインターネット広告システムである。図１には２台の広告代理店の装置と、２台の制作会社の装置と、２台の広告主の装置とを示しているが、各装置の台数が増減しても本発明のインターネット広告システムは対応することができる。
【００１５】
図１のインターネット広告管理システム１は、インターネット広告の受注から入稿までの過程を管理するインターネット広告管理装置２と、インターネット広告の代理店２社の装置３と、インターネット広告の制作会社の装置４と、インターネット広告制作会社を通してインターネット広告を制作する制作者（クリエーター）の装置４ａ、４ｂ、４ｃと、インターネット広告の広告主２社の装置５とを備え、各装置は通信ネットワーク７に接続されている。各装置は、通信ネットワーク７を介して、インターネット広告管理装置２が管理するインターネット広告の管理データを更新し、相互に共有することができる。
【００１６】
ここで、インターネット広告の管理データとは、受注したインターネット広告の案件名及び案件情報、発注主の名前又は名称、広告代理店名、制作会社名、制作者、依頼日時、更新日時、作業の進捗状況、納品期限、入稿日などである。広告主、広告代理店、制作会社、制作者が全ての管理データを閲覧及び更新することはできず、それぞれ管理データの項目により制限が設けられている。
【００１７】
また、管理画面に一覧表示されない管理データとして、広告主、広告代理店、制作会社、制作者等それぞれの関係者の電子メールアドレス、住所、電話番号等の情報を記憶させることができる。また、管理画面に一覧表示されないが、インターネット広告の関連情報として、インターネット広告が掲載される掲載画面が後述するインターネット広告管理装置２の管理データ記憶部２０に記憶されている。
【００１８】
図２はインターネット広告管理装置２の構成を示すブロック図である。インターネット広告管理装置２は、全てのインターネット広告の受注から入稿までの過程を管理する管理データを記憶する記憶部２０と、制作会社の装置４、制作者の装置４ａ、４ｂ、４ｃ、広告代理店の装置３、広告主の装置５の各々に対応する管理データの項目を一覧表示する管理画面を作成する管理画面作成部２１と、管理画面作成部２１により作成された管理画面を各装置４、４ａ、４ｂ、４ｃ、３、５に表示する管理画面表示部２２と、インターネット広告を発注する際インターネット広告に関する情報を入力する発注フォームを管理する発注フォーム管理部２３と、入稿済のインターネット広告の制作物を記憶するライブラリ２４とを有する。また、図２に図示しないが、インターネット管理装置２は電子メールアドレスを送信する通信手段を更に備えている。
【００１９】
広告代理店の装置３、制作会社の装置４、制作者の装置４a、４ｂ、４ｃ、広告主の装置５に表示する管理画面はそれぞれ異なり、管理画面作成部２１は各装置用に異なる管理画面を作成する。図３にインターネット広告管理装置２が管理する全てのインターネット広告の案件の管理データを広告主の装置５用に作成した管理画面の一例を示し、図４に代理店の装置３用の管理画面の一例を示し、図５に制作会社の装置４用の管理画面の一例を示す。
【００２０】
図３の広告主の装置５用管理画面では、複数のインターネット広告の案件の管理データが左から横に、「代理店」、「担当者」、「案件名と依頼日時」、「広告メニュー」、進捗状況を示す「Status」、「納品日時」、「入稿日時」の項目欄に示されている。「代理店」、「担当者」、「Status」の項目欄にはプルダウンによる絞り込み機能があり、代理店別、担当者別、進捗状況別に絞り込むことが可能である。
【００２１】
「案件名」の項目欄に表示される案件名をクリックすると、案件の詳細な情報が記載された画面が表示される。「広告メニュー」の項目欄の広告メニュー、例えば、banner[1]をクリックすると、広告の制作物を表示する画面が表示される。
【００２２】
図６に広告の制作物を表示する画面を示す。図６に示すように、当該画面は制作物の進捗管理画面であり、最初に提出された制作物から修正した制作物が時系列に表示され、修正過程を簡単に理解することができる。この画面には、修正を指示する指示機能のアイコンが表示され、アイコンをクリックすると制作物に対して直接修正指示、要望などを書き込める。また、提出された制作物でよい場合はＯＫの指示を出すことができる。なお、表示される制作物は制作者が制作者の装置４より提出したものである。
【００２３】
更に、インターネット広告が広告媒体に掲載された際のイメージを確認するため、管理データ記憶部２０に記憶される掲載画面に制作されたインターネット広告をはめ込んで表示させる掲載イメージ表示手段（図示せず）がインターネット広告管理装置２に備えられている。
【００２４】
また、この画面には管理データとして予め登録されている関係者のメールアドレスに電子メールを送信できるメール作成アイコンを有している。メール作成アイコンをクリックすると、選択した広告のこの画面へ到達するためのURLが自動的に記載され、選択した関係者に電子メールを送ることができる。電子メールの送信の記録は、管理データとして管理データ記憶部２０に記憶される。
【００２５】
図４の代理店の装置３用管理画面では、複数のインターネット広告の案件の管理データが左から横に、「（代理店の）依頼者」、「制作会社」、「Director」、「Client（発注主）」、「案件名と依頼日時」、「広告メニュー」、「次回提出日時」、「Status」、「納品日時」、「入稿日時」の項目欄に示されている。「代理店」、「担当者」、「Status」の項目欄にはプルダウンによる絞り機能が設けられている。図３の広告主の装置５用管理画面と同様に「広告メニュー」の項目欄の広告メニューをクリックすると広告の制作物を表示する画面が表示され、上述した修正指示機能やメール作成機能を使用することができる。
【００２６】
図５の制作会社の装置４用管理画面では、複数のインターネット広告の案件の管理データが左から横に、「代理店」、「（代理店の）依頼者」、「Director」、「Client（発注主）」、「案件名と依頼日時」、「広告メニュー」、「次回提出日時」、「Designer（制作者）」、「納品日時」、「入稿日時」の項目欄に示されている。そして、「代理店」、「依頼者」、「Director」、「Client」、「Designer」、「Status」にはプルダウンによる絞り機能が設けられている。図３の広告主の装置５用の管理画面と同様に広告メニューをクリックすると広告の制作物を表示する画面が表示され、上述した修正指示機能やメール作成機能を使用することができる。
【００２７】
この画面に表示される制作物は制作者が制作者の装置より提出したものであり、制作者が制作者の装置４ａ、４ｂ、４ｃ用の管理画面（図示せず）から広告メニューをクリックすると、制作会社の装置４用に表示される制作物の表示画面と同一の画面が表示される。制作者はこの画面上に制作物のファイルをドラッグしてドロップすると画面上にファイルをアップロードすることができる。
【００２８】
図示しない制作者の装置用管理画面は、制作会社の装置用管理画面より表示される項目が少なく、表示される項目は予めインターネット広告管理装置２で決定されている所定の項目でもよい。また、制作会社が制作者の装置に表示する項目を決定して、制作会社の装置４からインターネット広告管理装置２に対して項目の変更を依頼することができる。
【００２９】
管理データである「Status」の項目が「入稿完了」に更新されると、インターネット広告管理装置２は、入稿されたインターネット広告の制作物をインターネット広告制作作品としてライブリ２４に保存する。
【００３０】
ライブラリ２４は制作者がインターネット広告を作成する際に参考にしたり、発注者が発注する際に参考にすることができる。ライブラリ２４へのアクセスの可否は各装置に対して決定することができる。ライブラリ２４への接続は、管理画面とは別の画面を作成して接続できるようにしてもよい。
【００３１】
図３、図４、図５に示した管理画面の項目から他の画面への移動やファイルのドラッグ＆ドロップによるファイルのアップロードには既存の技術を用いることができ、インターネット管理装置２により実行される。インターネット広告管理装置２として、既存のサーバーを使用することができる。そして、広告主の装置５と制作会社の装置４と制作者の装置４ａ、４ｂ、４ｃと代理店の装置３は市販のコンピュータ装置や数々の端末装置を用いることができる。
【００３２】
図７にインターネット広告をオーダーする際の発注フォームの一例を示す。発注フォームは代理店の装置３と発注主の装置５に表示されて入力することができる。
代理店の装置３と発注主の装置５にはインターネット広告の管理データの管理画面の他にインターネット広告発注を要望する画面が表示される。代理店の装置３又は発注主の装置５から発注の要望があると、インターネット広告管理装置２は、発注フォーム管理部２３より要望があった代理店の装置３又は発注主の装置５に対し発注フォームを表示させる。
【００３３】
図７に示すように発注フォームには、「クライアント名（発注者の名前）」、「広告仕様」、「仕様概要」、「スケジュール」等の入力項目がある。発注フォームの入力項目への入力が終了すると、発注フォームがインターネット広告管理装置２に送信され、管理データ記憶部２０に新たなインターネット広告の案件として記憶され、管理画面作成部２１により新たな案件が追加された管理画面が作成される。ここで、発注フォームは、各代理店及び各発注者により入力項目を変更してもよい。
【００３４】
以上本発明の実施の形態を詳述したが、本発明は上記の実施形態に限定されず様々に変形可能である。
【００３５】
例えば、広告主から直接制作会社にインターネット広告の発注が行われるのであれば、広告代理店の装置３はインターネット広告管理システム１に含まれず、制作会社の装置４用の管理画面は「代理店」と「依頼者」の項目欄が削除されたものが作成される。
【００３６】
また、制作会社の社内でインターネット広告を作成する場合や広告代理店内でインターネット広告を作成する場合等により、インターネット広告の管理画面に表示される項目欄を増減して対応することができる。
【００３７】
また、インターネット広告管理装置２に管理データを記憶する管理データ記憶部２０と、インターネット広告の制作作品を保存するライブラリ２４を設けたが、別に記憶装置を設けて記憶することができる。
【符号の説明】
【００３８】
１    インターネット広告管理システム
２    インターネット広告管理装置
３    広告代理店の装置
４    制作会社の装置
５    広告主の装置
７    通信ネットワーク
２０  管理データ記憶部
２１  管理画面作成部
２２  管理画面表示部
２３  発注フォーム管理部
２４  ライブラリ
【図１】
0005835794.tif 000002
【図２】
0005835794.tif 000003
【図３】
0005835794.tif 000004
【図４】
0005835794.tif 000005
【図５】
0005835794.tif 000006
【図６】
0005835794.tif 000007
【図７】
0005835794.tif 000008